(57)【特許請求の範囲】
【請求項１】
延期された測定制御読み取り（ＤＭＣＲ）状態で、ＵＥが、第２の無線アクセス技術（ＲＡＴ）からのリダイレクションに少なくとも部分的に基づいて第１のＲＡＴとの接続を確立するかどうかを判定することと、
少なくとも部分的に、前記ＵＥが第２のＲＡＴから前記第１のＲＡＴへリダイレクトされたかどうかに基づいて、前記第１のＲＡＴからブロードキャストされたシステム情報ブロック（ＳＩＢ）を前記ＵＥにおいて選択的に読み取ることと、前記ＵＥが前記第２のＲＡＴから前記第１のＲＡＴへリダイレクトされた場合、前記ＵＥは前記ＳＩＢを読み取ることをスキップし、前記第１のＲＡＴとの前記接続が前記リダイレクションからでない場合、前記ＵＥは前記ＳＩＢを読み取る、
を備える、ワイヤレス通信の方法。
【請求項２】
前記ＵＥが回路交換フォール・バック（ＣＳＦＢ）呼のために前記第１のＲＡＴへリダイレクトされる、請求項１に記載の方法。
【請求項３】
前記第１のＲＡＴがＵＴＲＡＮを備え、前記第２のＲＡＴがＥＵＴＲＡＮを備える、請求項１に記載の方法。
【請求項４】
前記ＳＩＢがＳＩＢ １９を備える、請求項１に記載の方法。
【請求項５】
メモリと、
前記メモリに結合された少なくとも１つのプロセッサと、
を備え、
前記少なくとも１つのプロセッサは、
延期された測定制御読み取り（ＤＭＣＲ）状態で、ＵＥが第２の無線アクセス技術（ＲＡＴ）からのリダイレクションに少なくとも部分的に基づいて第１のＲＡＴとの接続を確立するかどうかを判定することと、
少なくとも部分的に、前記ＵＥが第２のＲＡＴから前記第１のＲＡＴへリダイレクトされたかどうかに基づいて、前記第１のＲＡＴからブロードキャストされたシステム情報ブロック（ＳＩＢ）を前記ＵＥにおいて選択的に読み取ることと、前記ＵＥが前記第２のＲＡＴから前記第１のＲＡＴへリダイレクトされた場合、前記ＵＥは前記ＳＩＢを読み取ることをスキップし、前記第１のＲＡＴとの前記接続が前記リダイレクションからでない場合、前記ＵＥは前記ＳＩＢを読み取る、
を行うように構成される、
ワイヤレス通信のための装置。
【請求項６】
前記ＵＥが回路交換フォール・バック（ＣＳＦＢ）呼のために前記第１のＲＡＴへリダイレクトされた、請求項５に記載の装置。
【請求項７】
前記第１のＲＡＴがＵＴＲＡＮを備え、前記第２のＲＡＴがＥＵＴＲＡＮを備える、請求項５に記載の装置。
【請求項８】
前記ＳＩＢがＳＩＢ １９を備える、請求項５に記載の装置。
【請求項９】
ワイヤレス・ネットワークにおけるワイヤレス通信のためのプログラム・コードを記憶するコンピュータ読取り可能な記憶媒体であって、前記プログラム・コードは、
延期された測定制御読み取り（ＤＭＣＲ）状態で、ＵＥが第２の無線アクセス技術（ＲＡＴ）からのリダイレクションに少なくとも部分的に基づいて第１のＲＡＴとの接続を確立するかどうかを判定するプログラム・コードと、
少なくとも部分的に、前記ＵＥが第２のＲＡＴから前記第１のＲＡＴへリダイレクトされたかどうかに基づいて、前記第１のＲＡＴからブロードキャストされたシステム情報ブロック（ＳＩＢ）を前記ＵＥにおいて選択的に読み取るプログラム・コードと、前記ＵＥが前記第２のＲＡＴから前記第１のＲＡＴへリダイレクトされた場合、前記ＵＥは前記ＳＩＢを読み取ることをスキップし、前記第１のＲＡＴとの前記接続が前記リダイレクションからでない場合、前記ＵＥは前記ＳＩＢを読み取る、
を備える、コンピュータ読取り可能な記憶媒体。
【請求項１０】
前記第１のＲＡＴがＵＴＲＡＮを備え、前記第２のＲＡＴがＥＵＴＲＡＮを備える、請求項９に記載のコンピュータ読取り可能な記憶媒体。
【請求項１１】
ワイヤレス通信のための装置であって、
延期された測定制御読み取り（ＤＭＣＲ）状態で、ＵＥが第２の無線アクセス技術（ＲＡＴ）からのリダイレクションに少なくとも部分的に基づいて第１のＲＡＴとの接続を確立するかどうかを判定するための手段と、
少なくとも部分的に、前記ＵＥが第２のＲＡＴから前記第１のＲＡＴへリダイレクトされたかどうかに基づいて前記第１のＲＡＴからブロードキャストされたシステム情報ブロック（ＳＩＢ）を前記ＵＥにおいて選択的に読み取るための手段と、前記ＵＥが前記第２のＲＡＴから前記第１のＲＡＴへリダイレクトされた場合、前記ＵＥは前記ＳＩＢを読み取ることをスキップし、前記第１のＲＡＴとの前記接続が前記リダイレクションからでない場合、前記ＵＥは前記ＳＩＢを読み取る、
を備える、装置。
【請求項１２】
前記第１のＲＡＴがＵＴＲＡＮを備え、前記第２のＲＡＴがＥＵＴＲＡＮを備える、請求項１１に記載の装置。
【発明の詳細な説明】
【関連出願の相互参照】
【０００１】
[0001]  本願は、２０１１年１１月１８日に出願され、「システム情報ブロック（ＳＩＢ）メッセージの延期された測定制御読み取り（DEFERRED MEASUREMENT CONTROL READING OF SYSTEM INFORMATION BLOCK (SIB) MESSAGES）」と題された米国仮特許出願第61/561,741の優先権を米国特許法第１１９条(e)の下主張し、その開示は、その全体においてここにおける参照により明示的に組み込まれる。
【技術分野】
【０００２】
[0002]  本開示の態様は、一般にワイヤレス通信システムに関し、より具体的には、システム情報ブロック（a system information block）（ＳＩＢ）の測定制御（measurement control）読み取りを延期すること（deferring）に関する。
【背景技術】
【０００３】
[0003]  電話通信、映像、データ、メッセージング、ブロードキャストといった様々な電気通信サービスを提供するために、ワイヤレス通信システムが広く展開されている。典型的なワイヤレス通信システムは、利用可能なシステム・リソース（例えば、帯域幅、送信電力）を共有することによって複数のユーザとの通信をサポートすることができる多元接続技術を用いうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ：time division synchronous code division multiple access）システムを含む。
【０００４】
[0004]  これらの多元接続技術は、異なるワイヤレス・デバイスに、市区町村レベル、国レベル、地方レベルだけでなく、世界的なレベルでの通信を可能にさせる、共通のプロトコルを提供するために、様々な電気通信規格に適用されている。台頭してきた電気通信規格の例は、ロング・ターム・エボリューション（ＬＴＥ）である。ＬＴＥは、第３世代パートナーシップ・プロジェクト（３ＧＰＰ）によって発表されたユニバーサル・モバイル電気通信システム（ＵＭＴＳ）のモバイル規格を改良させたもののセットである。それは、スペクトル効率を改善することによってモバイル・ブロードバンド・インターネット・アクセスをより快適にサポートし、コストを下げ、サービスを向上させ、新しいスペクトルを利用し、および、ダウンリンク（ＤＬ）にＯＦＤＭＡを、アップリンク（ＵＬ）にＳＣ−ＦＤＭＡを使用し、多入力多出力（ＭＩＭＯ）アンテナ技術を使用して、より適切に他のオープン規格に組み込まれるように設計される。しかしながら、モバイル・ブロードバンド・アクセスの需要が増大し続けるにつれて、ＬＴＥ技術における更なる改良の必要性が存在する。望ましくは、これらの改良は、これらの技術を用いる他の多元接続技術および電気通信規格に適用可能であるべきである。
【発明の概要】
【０００５】
[0005]  一態様では、ワイヤレス通信の方法が開示される。この方法は、ＵＥが第２の無線アクセス技術（radio access technology）（ＲＡＴ）から第１のＲＡＴへリダイレクトされたかどうかを判定することを含む。方法はまた、ＵＥが或るＲＡＴから第１のＲＡＴへリダイレクトされた（redirected）かどうかに少なくとも部分的に基づいて、または、第１のＲＡＴへの通常接続要求（a normal connection request）の結果として、システム情報ブロック（ＳＩＢ）を選択的に読み取ることを含む。
【０００６】
[0006]  別の態様は、メモリと、このメモリに結合された少なくとも１つのプロセッサとを有するワイヤレス通信を開示する。（複数を含む）プロセッサは、第１の無線アクセス技術（ＲＡＴ）に従って無線リソース制御（ＲＲＣ：radio resource control）接続（connection）要求を送るように構成される。（複数を含む）プロセッサはまた、ＲＲＣ接続要求が、第２のＲＡＴから第１のＲＡＴへのリダイレクション（redirection）の結果として引き起こされるか、または、第１のＲＡＴへの通常接続要求の結果として引き起こされるかどうかに基づいて、システム情報ブロック（ＳＩＢ）を読み取るかどうかを判定するように構成される。
【０００７】
[0007]  別の態様では、非一時的なコンピュータ読取り可能な媒体を有するワイヤレス・ネットワークにおけるワイヤレス通信のためのコンピュータ・プログラム製品が開示されている。コンピュータ読取り可能な媒体は、その上に記録された非一時的なプログラム・コードを有し、それは、（複数を含む）プロセッサによって実行されるとき、（複数を含む）プロセッサに、第１の無線アクセス技術（ＲＡＴ）に従って無線リソース制御（ＲＲＣ）接続要求を送る動作を実行させる。このプログラム・コードはまた、ＲＲＣ接続要求が、第２のＲＡＴから第１のＲＡＴへのリダイレクションの結果として引き起こされるか、または、第１のＲＡＴへの通常の接続要求の結果として引き起こされるかどうかに基づいて、システム情報ブロック（ＳＩＢ）を読み取るかを判定することを（複数を含む）プロセッサにさせる。
【０００８】
[0008]  別の態様は、第１の無線アクセス技術（ＲＡＴ）に従って無線リソース制御（ＲＣＣ）接続要求を送るための手段を含む装置を開示する。この装置はまた、ＲＲＣ接続要求が、第２のＲＡＴから第１のＲＡＴへのリダイレクションの結果として引き起こされるか、または、第１のＲＡＴへの通常接続要求の結果として引き起こされるかどうかに基づいて、システム情報ブロック（ＳＩＢ）を読み取るかどうかを判定するための手段を含む。
【０００９】
[0009]  これは、以下の詳細な説明がより良く理解されうるように、本開示の特徴および技術的利点をどちらかといえば幅広く概説している。本開示のさらなる特徴および利点が以下に説明される。この開示が、本開示と同じ目的を実行するための他の構造を改良または設計するための基礎として容易に利用されうることは、当業者によって理解されるべきである。また、そのような等価の構成が、添付された特許請求の範囲に記載の本開示の教示から逸脱しないことも、当業者によって理解されるべきである。さらなる目的および利点とともに、本開示の構成および動作の方法の両方について、本開示の特徴であると考えられる新規の特徴は、添付図面と関連して考慮されるとき、以下の説明からより良く理解されるであろう。しかしながら、図の各々は、例示および説明のみの目的で提供され、本開示の限定の定義として意図されるものではないことが、明確に理解されるべきである。
【図面の簡単な説明】
【００１０】
[0010]  本開示の特徴、性質および利点は、同じ参照記号が全体を通して対応して識別できる図面と関連して捉えられると、以下で述べられる詳細な説明からより明らかになる。
【図１】図１は、ネットワーク・アーキテクチャの例を例示する図である。
【図２】図２は、アクセス・ネットワークの例を例示する図である。
【図３】図３は、ＬＴＥにおけるダウンリンク・フレーム構造の例を例示する図である。
【図４】図４は、ＬＴＥにおけるアップリンク・フレーム構造の例を例示する図である。
【図５】図５は、ユーザおよび制御プレーンのための無線プロトコル・アーキテクチャの例を例示する図である。
【図６】図６は、アクセス・ネットワークにおける発展型ノードＢおよびユーザ機器の例を例示する図である。
【図７】図７は、ワイヤレス通信の方法のフローチャートである。
【図８】図８は、処理システムを用いる装置のためのハードウェアのインプリメンテーションの例を例示する図である。
【詳細な説明】
【００１１】
[0019]  添付の図面に関連して以下に述べられる詳細な説明は、様々な構成の説明を意図したものであり、本明細書において説明される概念が実行されうる、唯一の構成を表すよう意図したものではない。詳細な説明は、様々な概念の徹底した理解を提供することを目的とする特定の詳細を含む。しかしながら、これらの概念が、これらの特定の詳細なしで実施されうることは、当業者にとって明らかであろう。いくつかの例では、既知の構造およびコンポーネントは、このような概念を不明瞭にしないためにブロック図で示される。
【００１２】
[0020]  様々な装置および方法を参照して、電気通信システムの態様を示す。これらの装置および方法は、以下の詳細な説明において説明され、付随する図面において、様々なブロック、モジュール、コンポーネント、回路、ステップ、処理、アルゴリズム等（集合的には「エレメント」と呼ばれる）により例示される。これらのエレメントは、電子ハードウェア、コンピュータ・ソフトウェア、またはそれらの任意の組み合わせを使用してインプリメントされうる。そのようなエレメントがハードウェアとしてインプリメントされるか、またはソフトウェアとしてインプリメントされるかは、システム全体に課された設計制約および特定の用途に依存する。
【００１３】
[0021]  例として、エレメント、またはエレメントの任意の一部、またはエレメントの任意の組み合わせは、１つまたは複数のプロセッサを含む「処理システム」を用いてインプリメントされうる。プロセッサの例には、マイクロプロセッサ、マイクロコントローラ、デジタル・シグナル・プロセッサ（ＤＳＰ）、フィールド・プログラマブル・ゲート・アレイ（ＦＰＧＡ）、プログラマブル・ロジック・デバイス（ＰＬＤ）、ステート・マシン、ゲート・ロジック、離散ハードウェア回路、および本開示を通して説明される様々な機能を実行するように構成された他の適切なハードウェアが含まれる。処理システムにおける１つまたは複数のプロセッサは、ソフトウェアを実行しうる。ソフトウェアは、ソフトウェア、ファームウェア、ミドルウェア、マイクロコード、ハードウェア記述言語と呼ばれる場合も、それ以外の名称で呼ばれる場合も、命令、命令のセット、コード、コード・セグメント、プログラム・コード、プログラム、サブプログラム、ソフトウェア・モジュール、アプリケーション、ソフトウェア・アプリケーション、ソフトウェア・パッケージ、ルーチン、サブルーチン、オブジェクト、実行ファイル、実行スレッド、プロシージャ、関数、等を意味するものと広く解釈されるべきである。
【００１４】
[0022]  従って、１つまたは複数の典型的な実施形態では、説明された機能は、ハードウェア、ソフトウェア、ファームウェア、またはこれらの任意の組み合わせでインプリメントされうる。ソフトウェアでインプリメントされる場合、これらの機能は、コンピュータ読取り可能な媒体上に、１つまたは複数の命令またはコードとして記憶されるか、あるいは１つまたは複数の命令またはコードとして符号化されうる。コンピュータ読取り可能な媒体は、コンピュータ記憶媒体を含む。記憶媒体は、コンピュータによってアクセスすることのできる任意の利用可能な媒体でありうる。限定ではなく例として、このようなコンピュータ読取り可能な媒体は、ＲＡＭ、ＲＯＭ、ＥＥＰＲＯＭ、ＣＤ−ＲＯＭまたは他の光ディスク記憶装置、磁気ディスク記憶装置またはその他の磁気記憶デバイス、あるいは、データ構造または命令の形式で所望のプログラム・コードを記憶または搬送するために使用することができ、かつコンピュータによってアクセスすることができるその他任意の媒体を備えうる。ここで使用されるようなディスク（ｄｉｓｋおよびｄｉｓｃ）は、コンパクトディスク（ＣＤ）、レーザディスク、光ディスク、デジタル汎用ディスク（ＤＶＤ）、フロッピー（登録商標）ディスク、およびブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。上記の組み合わせもまた、コンピュータ読取り可能な媒体の範囲内に含まれるべきである。
【００１５】
[0023]  図１は、ＬＴＥネットワーク・アーキテクチャ１００を例示する図である。ＬＴＥネットワーク・アーキテクチャ１００は、発展型パケット・システム（ＥＰＳ：Evolved Packet System）１００と称されうる。ＥＰＳ １００は、１つまたは複数のユーザ機器（ＵＥ）１０２、発展型ＵＭＴＳ地上無線アクセス・ネットワーク（Ｅ−ＵＴＲＡＮ）１０４、発展型パケット・コア（ＥＰＣ）１１０、ホーム・サブスクライバ・サーバ（ＨＳＳ）１２０、およびオペレータのＩＰサービス（an Operator’s IP Services）１２２を含みうる。ＥＰＳは、他のアクセス・ネットワークと相互接続することができるが、簡潔化のために、それらのエンティティ／インタフェースは図示しない。図示されているように、ＥＰＳはパケット交換サービスを提供するが、当業者が容易に理解するように、本開示全体を通して提示される様々な概念は、回路交換サービスを提供するネットワークに拡張されうる。
【００１６】
[0024]  Ｅ−ＵＴＲＡＮは、発展型ノードＢ（ｅＮｏｄｅＢ：evolved Node B）１０６および他の複数のｅＮｏｄｅＢ １０８を含む。ｅＮｏｄｅＢ １０６は、ＵＥ １０２に対するユーザおよび制御プレーン・プロトコル・ターミネーションを提供する。ｅＮｏｄｅＢ １０６は、Ｘ２インタフェース（例えば、バックホール）を介して、他の複数のｅＮｏｄｅＢ １０８に接続されうる。ｅＮｏｄｅＢ １０６はまた、基地局、基地トランシーバ局、無線基地局、無線トランシーバ、トランシーバ機能、基本サービス・セット（ＢＳＳ：basic service set）、拡張サービス・セット（ＥＳＳ：extended service set）、または何らかの他の適切な用語で称されうる。ｅＮｏｄｅＢ １０６は、ＵＥ １０２のためのＥＰＣ １１０へのアクセス・ポイントを提供する。複数のＵＥ １０２の例には、セルラ電話、スマートフォン、セッション開始プロトコル（ＳＩＰ）電話、ラップトップ、携帯情報端末（ＰＤＡ）、衛星ラジオ、全地球測位システム、マルチメディア・デバイス、映像デバイス、デジタル・オーディオ・プレイヤ（例えば、ＭＰ３プレイヤ）、カメラ、ゲーム機器、またはその他任意の同様の機能を有するデバイスが含まれる。ＵＥ １０２は、当業者によって、移動局、加入者局、モバイルユニット、加入者ユニット、ワイヤレス・ユニット、遠隔ユニット、モバイルデバイス、ワイヤレス・デバイス、ワイヤレス通信デバイス、遠隔デバイス、モバイル加入者局、アクセス端末、モバイル端末、ワイヤレス端末、遠隔端末、ハンドセット、ユーザ・エージェント、モバイル・クライアント、クライアント、あるいはその他適切な用語でも称されうる。
【００１７】
[0025]  ｅＮｏｄｅＢ １０６は、Ｓ１インタフェースによってＥＰＣ １１０に接続される。ＥＰＣ １１０は、モビリティ管理エンティティ（ＭＭＥ）１１２、他の複数のＭＭＥ １１４、サービング・ゲートウェイ１１６、パケット・データ・ネットワーク（ＰＤＮ）ゲートウェイ１１８を含む。ＭＭＥ １１２は、ＵＥ １０２とＥＰＣ １１０との間のシグナリングを処理する制御ノードである。一般的に、ＭＭＥ １１２はベアラおよび接続管理を提供する。全てのユーザＩＰパケットは、それ自身がＰＤＮゲートウェイ１１８に接続されたサービング・ゲートウェイ１１６を通って転送される。ＰＤＮゲートウェイ１１８は、ＵＥ ＩＰアドレス割当のほか、その他の機能も提供する。ＰＤＮゲートウェイ１１８は、オペレータのＩＰサービス１２２に接続される。オペレータのＩＰサービス１２２は、インターネット、イントラネット、ＩＰマルチメディア・サブシステム（ＩＭＳ）、およびＰＳストリーミング・サービス（ＰＳＳ）を含みうる。
【００１８】
[0026]  図２は、ＬＴＥネットワーク・アーキテクチャにおけるアクセス・ネットワーク２００の例を例示する図である。この例では、アクセス・ネットワーク２００が、多数のセルラ領域（セル）２０２に分割されている。より低い電力クラスの１つまたは複数のｅＮｏｄｅＢ ２０８は、セル２０２のうちの１つまたは複数と重複するセルラ領域２１０を有しうる。より低い電力クラスのｅＮｏｄｅＢ ２０８は、遠隔無線ヘッド（ＲＲＨ：remote radio head）と称されうる。より低い電力クラスのｅＮｏｄｅＢ ２０８は、フェムトセル（例えば、ホームｅＮｏｄｅＢ（ＨｅＮｏｄｅＢ））、ピコセル、あるいはマイクロセルでありうる。複数のマクロｅＮｏｄｅＢ ２０４は、それぞれ個別のセル２０２に割り当てられ、セル２０２内のすべてのＵＥ ２０６ために、ＥＰＣ １１０へのアクセス・ポイントを提供するように構成される。アクセス・ネットワーク２００のこの例には集中制御装置が存在しないが、代替の構成では、集中制御装置が使用されうる。複数のｅＮｏｄｅＢ ２０４は、無線ベアラ制御、アドミッション制御、モビリティ制御、スケジューリング、セキュリティ、およびサービング・ゲートウェイ１１６へのコネクティビティを含む、すべての無線関連の機能を担当する。
【００１９】
[0027]  アクセス・ネットワーク２００によって用いられる変調および多元接続スキームは、展開されている特定の電気通信規格に依存して異なりうる。ＬＴＥの応用例では、ＯＦＤＭがＤＬに使用され、ＳＣ−ＦＤＭＡがＵＬに使用されて、周波数分割複信（ＦＤＤ）および時分割複信（ＴＤＤ）の両方がサポートされる。以下の詳細な説明から当業者が容易に理解するように、本明細書に提示される様々な概念は、ＬＴＥの応用例によく適している。しかしながら、これらの概念は、その他の変調および多元接続技術を用いたその他の電気通信規格にまで容易に拡張されうる。例として、これらの概念は、エボリューション・データ・オプティマイズド（ＥＶ−ＤＯ：Evolution-Data Optimized）またはウルトラ・モバイル・ブロードバンド（ＵＭＢ：Ultra Mobile Broadband）に拡張されうる。ＥＶ−ＤＯおよびＵＭＢは、ＣＤＭＡ ２０００の一群の規格の一部として第３世代パートナーシップ・プロジェクト２（３ＧＰＰ２）により発表されたエア・インタフェース規格であり、移動局にブロードバンド・インターネット・アクセスを提供するためにＣＤＭＡを用いる。これらの概念はまた、広帯域ＣＤＭＡ（Ｗ−ＣＤＭＡ）、およびＴＤ−ＳＣＤＭＡのようなＣＤＭＡの他の変形例を用いるユニバーサル地上無線アクセス（ＵＴＲＡ）、ＴＤＭＡを用いるモバイル通信のためのグローバルシステム（ＧＳＭ（登録商標））、ＯＦＤＭＡを用いる、発展型ＵＴＲＡ（Ｅ−ＵＴＲＡ）、ウルトラ・モバイル・ブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、およびフラッシュＯＦＤＭに拡張されうる。ＵＴＲＡ、Ｅ−ＵＴＲＡ、ＵＭＴＳ、ＬＴＥ、およびＧＳＭは、３ＧＰＰの組織からの文書において説明されている。ＣＤＭＡ ２０００およびＵＭＢは、３ＧＰＰ２の組織からの文書において説明されている。用いられる実際の無線通信規格および多元接続技術は、システムに課された全体的な設計制約および特定のアプリケーションに依存するだろう。
【００２０】
[0028]  複数のｅＮｏｄｅＢ ２０４は、ＭＩＭＯ技術をサポートする複数のアンテナを有しうる。ＭＩＭＯ技術の使用は、複数のｅＮｏｄｅＢ ２０４に、空間領域（the spatial domain）を利用して、空間多重化、ビームフォーミング、および送信ダイバーシティをサポートすることを可能にさせる。空間多重化は、同じ周波数上で同時にデータの異なるストリームを送信するために使用されうる。データ・ストリームは、データ・レートを増大させるために単一のＵＥ ２０６に送信されるか、あるいは、全体のシステム容量を増大させるために複数のＵＥ ２０６に送信されうる。これは、各データ・ストリームを空間的にプリコーディングし（つまり、振幅および位相のスケーリングを適用し）、その後ＤＬ上の複数の送信アンテナを通じて空間的にプリコーディングされた各ストリームを送信することによって達成される。空間的にプリコーディングされたデータ・ストリームは、異なる空間シグネチャで（with different spatial signature）（複数の）ＵＥ ２０６に到着し、これは、（複数の）ＵＥ ２０６の各々が、そのＵＥ ２０６用に指定された１つまたは複数のデータ・ストリームを復元することを可能にさせる。ＵＬでは、各ＵＥ ２０６は、空間的にプリコーディングされたデータ・ストリームを送信し、これは、ｅＮｏｄｅＢ ２０４に、空間的にプリコーディングされた各データ・ストリームのソースを識別することを可能にさせる。
【００２１】
[0029]  空間多重化は一般的に、チャネル状況が良好な場合に使用される。チャネル状況がさほど良好でない場合には、１つまたは複数の方向に送信エネルギを集中させるためにビームフォーミングが使用されうる。これは、複数のアンテナによる送信のためにデータを空間的にプリコーディングすることによって、達成されうる。セルの端において優れたカバレッジを達成するために、単一ストリームのビームフォーミング送信が送信ダイバーシティと組み合わせて使用されうる。
【００２２】
[0030]  以下の詳細な説明では、アクセス・ネットワークの様々な態様が、ＤＬにおいてＯＦＤＭをサポートするＭＩＭＯシステムを参照して説明される。ＯＦＤＭは、ＯＦＤＭシンボル内の多数のサブキャリアにわたってデータを変調する拡散スペクトル技術である。これらのサブキャリアは、精確な周波数で間隔があけられている。この間隔（spacing）は、これらのサブキャリアからのデータの復元を受信機に可能にさせる、「直交性」を提供する。時間領域（time domain）では、ＯＦＤＭシンボル間干渉を抑制する（combat inter-OFDM-symbol interference）ために、各ＯＦＤＭシンボルにガード・インターバル（例えば、サイクリック・プリフィクス）が追加されうる。ＵＬは、高いピーク対平均電力比（ＰＡＰＲ：peak-to-average power ratio）を補償するために、ＤＦＴ拡散ＯＦＤＭ信号の形態でＳＣ−ＦＤＭＡを使用しうる。
【００２３】
[0031]  図３は、ＬＴＥにおけるＤＬフレーム構造の例を例示した図３００である。フレーム（１０ｍｓ）が、１０個の等しいサイズのサブフレームに分割されうる。各サブフレームは、２個の連続するタイム・スロットを含みうる。２個のタイム・スロットを表すためにリソース・グリッドが使用されることができ、各タイム・スロットは、リソース・ブロックを含む。リソース・グリッドは、複数のリソース・エレメントに分割される。ＬＴＥでは、１つのリソース・ブロックは、周波数領域（frequency domain）における１２個の連続するサブキャリアと、各ＯＦＤＭシンボルに１つの通常の（normal）サイクリック・プリフィクスの場合、時間領域における７個の連続するＯＦＤＭシンボルとを含み、すなわち、８４個のリソース・エレメントを含む。拡張されたサイクリック・プリフィクスの場合、リソース・ブロックは、６個の連続するＯＦＤＭシンボルを、時間領域において含み、７２個のリソース・エレメントを有する。リソース・エレメントのうちのいくつかは、Ｒ ３０２、３０４として示されているように、ＤＬ基準信号（ＤＬ−ＲＳ）を含む。ＤＬ−ＲＳは、セル固有のＲＳ（ＣＲＳ：Cell-specific RS）（共通ＲＳと呼ばれることもある）３０２と、ＵＥ固有のＲＳ（ＵＥ−ＲＳ：UE-specific RS）３０４とを含む。ＵＥ−ＲＳ ３０４は、対応する物理ＤＬ共有チャネル（ＰＤＳＣＨ：physical DL shared channel）がマッピングされたリソース・ブロックのみで送信される。各リソース・エレメントによって搬送されるビット数は、変調スキームに依存する。したがって、ＵＥが受信するリソース・ブロックが多いほど、また、変調スキームが高度であるほど、そのＵＥのためのデータ・レートは高くなる。
【００２４】
[0032]  図４は、ＬＴＥにおけるＵＬフレーム構造の例を例示した図４００である。ＵＬのために利用可能なリソース・ブロックは、データ・セクションと制御セクションとに分割されうる。制御セクションは、システム帯域幅の両端に形成されることができ、設定可能な（configurable）サイズを有することができる。制御セクションにおけるリソース・ブロックは、制御情報の送信のためにＵＥに割り当てられうる。データ・セクションは、制御セクションに含まれないすべてのリソース・ブロックを含みうる。ＵＬフレーム構造は、単一のＵＥにデータ・セクションにおける連続するサブキャリアのすべてが割り当てられることを可能にしうる、連続するサブキャリアを含むデータ・セクションという結果となる。
【００２５】
[0033]  あるＵＥは、ｅＮｏｄｅＢに制御情報を送信するために、制御セクションにおけるリソース・ブロック４１０ａ、４１０ｂを割り当てられうる。このＵＥはまた、ｅＮｏｄｅＢにデータを送信するために、データ・セクションにおけるリソース・ブロック４２０ａ、４２０ｂを割り当てられうる。このＵＥは、制御セクションにおいて割り当てられたリソース・ブロックにおける、物理ＵＬ制御チャネル（ＰＵＣＣＨ：physical UL control channel）で、制御情報を送信しうる。このＵＥは、データ・セクションにおいて割り当てられたリソース・ブロックにおける、物理ＵＬ共有チャネル（ＰＵＳＣＨ：physical UL shared channel）で、データのみ、またはデータと制御情報の両方を送信しうる。ＵＬ送信は、１サブフレーム中の両スロットにわたることができ、周波数にわたってホッピングする（hop）ことができる。
【００２６】
[0034]  リソース・ブロックのセットは、物理ランダム・アクセス・チャネル（ＰＲＡＣＨ：physical random access channel）４３０におけるＵＬの同期を達成し、初期のシステム・アクセス（initial system access）を実行するために使用されうる。ＰＲＡＣＨ ４３０は、ランダム・シーケンスを搬送するが、どのＵＬデータ／シグナリングも搬送することはできない。各ランダム・アクセス・プリアンブルは、連続する６個のリソース・ブロックに対応する帯域幅を占有する。開始周波数は、ネットワークによって特定される。すなわち、ランダム・アクセス・プリアンブルの送信は、ある特定の時間および周波数リソースに限られる。ＰＲＡＣＨ用にホッピングする（hopping）周波数はない。ＰＲＡＣＨの試みは、単一のサブフレーム（１ｍｓ）において、または、わずかな連続するサブフレームのシーケンスにおいて搬送され、ＵＥは、１フレーム（１０ｍｓ）につき単一のＰＲＡＣＨの試みのみを行いうる。
【００２７】
[0035]  図５は、ＬＴＥにおけるユーザおよび制御プレーンのための無線プロトコル・アーキテクチャの例を例示した図５００である。ＵＥおよびｅＮｏｄｅＢのための無線プロトコル・アーキテクチャは、レイヤ１、レイヤ２、およびレイヤ３の３つのレイヤで表示される。レイヤ１（Ｌ１レイヤ）は、最下位のレイヤであり、様々な物理レイヤ信号処理機能をインプリメントする。Ｌ１レイヤは、本明細書において物理レイヤ５０６と称される。レイヤ２（Ｌ２レイヤ）５０８は、物理レイヤ５０６よりも上位であり、物理レイヤ５０６にわたるＵＥとｅＮｏｄｅＢとの間のリンクを担当する。
【００２８】
[0036]  ユーザ・プレーンでは、Ｌ２レイヤ５０８は、媒体アクセス制御（ＭＡＣ：media access control）サブレイヤ５１０、無線リンク制御（ＲＬＣ：radio link control）サブレイヤ５１２、パケット・データ・コンバージェンス・プロトコル（ＰＤＣＰ：packet data convergence protocol）５１４サブレイヤを含み、それらは、ネットワーク側のｅＮｏｄｅＢで終端する。示されていないが、ＵＥは、ネットワーク側のＰＤＮゲートウェイ１１８で終端するネットワーク・レイヤ（例えば、ＩＰレイヤ）や、接続の他端（例えば、遠端のＵＥ、サーバ、等）で終端するアプリケーション・レイヤを含む、Ｌ２レイヤ５０８よりも上の、いくつかの上位レイヤを有しうる。
【００２９】
[0037]  ＰＤＣＰサブレイヤ５１４は、異なる無線ベアラと論理チャネルとの間での多重化を提供する。ＰＤＣＰサブレイヤ５１４はまた、無線送信のオーバーヘッドを減らすために上位レイヤのデータ・パケットのヘッダの圧縮を提供し、それらのデータ・パケットを暗号化することによってセキュリティを提供し、複数のｅＮｏｄｅＢ間での複数のＵＥのハンドオーバーのサポートを提供する。ＲＬＣサブレイヤ５１２は、上位レイヤのデータ・パケットのセグメンテーションおよびリアセンブリと、損失データ・パケットの再送と、ハイブリッド自動再送要求（ＨＡＲＱ）のため順序が乱れた受信（out-of-order reception）を補償するためのデータ・パケットの並び替えと、を提供する。ＭＡＣサブレイヤ５１０は、論理チャネルとトランスポート・チャネルとの間の多重化を提供する。ＭＡＣサブレイヤ５１０はまた、１つのセルにおける様々な無線リソース（例えば、リソース・ブロック）の複数のＵＥ間での割り当てを担当する。ＭＡＣサブレイヤ５１０はまた、ＨＡＲＱ演算を担当する。
【００３０】
[0038]  制御プレーンにおいて、ＵＥおよびｅＮｏｄｅＢのための無線プロトコル・アーキテクチャは、制御プレーンではヘッダ圧縮機能がないという点を除き、物理レイヤ５０６およびＬ２レイヤ５０８の場合と実質的に同一である。制御プレーンはまた、レイヤ３（Ｌ３レイヤ）における無線リソース制御（ＲＲＣ）サブレイヤ５１６を含む。ＲＲＣサブレイヤ５１６は、無線リソース（すなわち、無線ベアラ）を得ることと、ｅＮｏｄｅＢとＵＥとの間でＲＲＣシグナリングを使用して下位レイヤを構成することとを担当する。
【００３１】
[0039]  図６は、アクセス・ネットワークにおいてＵＥ ６５０と通信するｅＮｏｄｅＢ ６１０のブロック図である。ＤＬにおいて、コア・ネットワークから、上位レイヤのパケットが、コントローラ／プロセッサ６７５に提供される。コントローラ／プロセッサ６７５は、Ｌ２レイヤの機能をインプリメントする。ＤＬにおいて、コントローラ／プロセッサ６７５は、ヘッダ圧縮、暗号化、パケットのセグメンテーションおよび並び替え、論理チャネルとトランスポート・チャネルとの間での多重化、様々な優先順位メトリックに基づいたＵＥ ６５０に対する無線リソースの割り当てを提供する。コントローラ／プロセッサ６７５はまた、ＨＡＲＱ演算、損失パケットの再送、およびＵＥ ６５０へのシグナリングを担当する。
【００３２】
[0040]  ＴＸプロセッサ６１６は、Ｌ１レイヤ（すなわち、物理レイヤ）のための様々な信号処理機能をインプリメントする。これらの信号処理機能は、ＵＥ ６５０における前方誤り訂正（ＦＥＣ：forward error correction）を容易にするように符号化およびインターリーブすることと、様々な変調スキーム（例えば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ: M-quadrature amplitude modulation））に基づいて信号コンスタレーションにマッピングすることとを含む。コード化された、ならびに変調されたシンボルは、その後並行なストリームに分けられる。そして、各ストリームは、ＯＦＤＭサブキャリアにマッピングされ、時間領域および／または周波数領域において基準信号（例えば、パイロット）で多重化され、そして、逆高速フーリエ変換（ＩＦＦＴ）を使用してともに合成され、時間領域のＯＦＤＭシンボル・ストリームを搬送する物理チャネルが生成される。ＯＦＤＭストリームは、複数の空間ストリームを生成するために空間的にプリコーディングされる。チャネル推定器６７４からのチャネル推定値が、符号化および変調スキームの判定、ならびに空間処理のために、使用されうる。チャネル推定値は、ＵＥ ６５０によって送信された基準信号および／またはチャネル状況のフィードバックから導出されうる。そして、各空間ストリームは、別個の送信機６１８ ＴＸを介して異なるアンテナ６２０に提供される。各送信機６１８ ＴＸは、ＲＦキャリアを、送信されるそれぞれの空間ストリームを用いて変調する。
【００３３】
[0041]  ＵＥ ６５０において、各受信機６５４ ＲＸは、そのそれぞれのアンテナ６５２によって、信号を受信する。各受信機６５４ ＲＸは、ＲＦキャリア上に変調された情報を復元し、受信機（ＲＸ）プロセッサ６５６にその情報を提供する。ＲＸプロセッサ６５６は、Ｌ１レイヤの様々な信号処理機能をインプリメントする。ＲＸプロセッサ６５６は、ＵＥ ６５０に宛てられた任意の空間ストリームを復元するためにその情報に空間処理を実行する。複数の空間ストリームがＵＥ ６５０に宛てられている場合、それらは、ＲＸプロセッサ６５６によって単一のＯＦＤＭシンボル・ストリームに合成されうる。そして、ＲＸプロセッサ６５６は、高速フーリエ変換（ＦＦＴ）を使用して、そのＯＦＤＭシンボル・ストリームを時間領域から周波数領域へと変換する。周波数領域の信号は、ＯＦＤＭ信号の各サブキャリアに対する別個のＯＦＤＭシンボル・ストリームを備える。各サブキャリアにおけるシンボル、および基準信号は、ｅＮｏｄｅＢ ６１０によって送信された最も可能性の高い信号コンスタレーション・ポイントを判定することによって、復元および復調される。これらの軟判定は、チャネル推定器６５８によって計算されたチャネル推定値に基づきうる。その後、これらの軟判定は、物理チャネルにおいてｅＮｏｄｅＢ ６１０により元々送信されたデータおよび制御信号を復元するために、復号およびデインターリーブされる。そして、これらのデータおよび制御信号が、コントローラ／プロセッサ６５９に提供される。
【００３４】
[0042]  コントローラ／プロセッサ６５９は、Ｌ２レイヤをインプリメントする。コントローラ／プロセッサは、プログラム・コードおよびデータを記憶するメモリ６６０に関連付られうる。メモリ６６０は、コンピュータ読取り可能な媒体と称されうる。ＵＬにおいて、コントロール／プロセッサ６５９は、トランスポート・チャネルと論理チャネルとの間での逆多重化（demultiplexing）、パケットの再構築（reassembly）、解読、ヘッダの圧縮解除、制御信号処理を提供し、コア・ネットワークから上位レイヤ・パケットを復元する。その後、上位レイヤ・パケットは、データ・シンク６６２に提供されるが、それは、Ｌ２レイヤより上位のすべてのプロトコル・レイヤを表す。様々な制御信号もまた、Ｌ３処理のために、データ・シンク６６２に提供されうる。コントローラ／プロセッサ６５９はまた、ＨＡＲＱ演算をサポートするために、肯定応答（ＡＣＫ）および／または否定応答（ＮＡＣＫ）プロトコルを使用した誤り検出を担当する。
【００３５】
[0043]  ＵＬでは、データ・ソース６６７は、コントローラ／プロセッサ６５９に上位レイヤ・パケットを提供するために使用される。データ・ソース６６７は、Ｌ２レイヤより上位のすべてのプロトコル・レイヤを表す。ｅＮｏｄｅＢ ６１０によるＤＬ送信に関連して説明された機能と同様に、コントローラ／プロセッサ６５９は、ヘッダの圧縮、暗号化、パケットのセグメンテーションと並び替え、およびｅＮｏｄｅＢ ６１０による無線リソースの割り当てに基づいた論理チャネルとトランスポート・チャネルとの間での多重化を提供することにより、ユーザ・プレーンおよび制御プレーンのためのＬ２レイヤをインプリメントする。コントローラ／プロセッサ６５９はまた、ＨＡＲＱ演算、損失パケットの再送、ｅＮｏｄｅＢ ６１０へのシグナリングを担当する。
【００３６】
[0044]  ｅＮｏｄｅＢ ６１０によって送信された基準信号またはフィードバックからチャネル推定器６５８によって導出されたチャネル推定値は、適切な符号化および変調スキームを選択し、空間処理を容易にするために、ＴＸプロセッサ６６８によって使用されうる。ＴＸプロセッサ６６８によって生成された空間ストリームは、別個の送信機６５４ ＴＸを介して異なるアンテナ６５２に提供される。各送信機６５４ ＴＸは、送信されるそれぞれの空間ストリームを用いてＲＦキャリアを変調する。
【００３７】
[0045]  ＵＬ送信は、ＵＥ ６５０における受信機機能に関連して説明された手法と同様の手法により、ｅＮｏｄｅＢ ６１０において処理される。各受信機６１８ ＲＸは、そのそれぞれのアンテナ６２０によって、信号を受信する。各受信機６１８ ＲＸは、ＲＦキャリア上に変調された情報を復元し、ＲＸプロセッサ６７０にその情報を提供する。ＲＸプロセッサ６７０は、Ｌ１レイヤをインプリメントしうる。
【００３８】
[0046]  コントローラ／プロセッサ６７５は、Ｌ２レイヤをインプリメントする。コントローラ／プロセッサ６７５は、プログラム・コードおよびデータを記憶するメモリ６７６に関係付けられうる。メモリ６７６は、コンピュータ読取り可能な媒体と称されうる。ＵＬにおいて、コントローラ／プロセッサ６７５は、トランスポート・チャネルと論理チャネルとの間での逆多重化、パケットの再構築、解読、ヘッダの圧縮解除、制御信号処理を提供し、ＵＥ ６５０からの上位レイヤ・パケットを復元する。コントローラ／プロセッサ６７５からの上位レイヤ・パケットは、コア・ネットワークに提供されうる。コントローラ／プロセッサ６７５はまた、ＨＡＲＱ演算をサポートするためにＡＣＫおよび／またはＮＡＣＫプロトコルを使用する誤り検出も担当している。
【００３９】
[0047]  本開示の一態様では、ＵＭＴＳ（ユニバーサル・モバイル電気通信システム（universal mobile telecommunications system））の延期された測定制御読み取り（deferred measurement control reading）の機能（feature）は、システム情報ブロードキャスト（a system information broadcast）（ＳＩＢ）メッセージ１９などのＳＩＢメッセージを選択的に読み取ることを許可するように改良される。特に、ＵＥは、ＳＩＢメッセージを読み取るか、ＳＩＢメッセージを読み取ることをスキップするかを判定する。ＳＩＢメッセージを読み取らないことは、セットアップ時間（setup time）のための速度を改良することができ、ＥＵＴＲＡＮ（発展型ＵＭＴＳ地上無線アクセス・ネットワーク）上にある間（while on）にトリガされた音声呼（voice calls）の回路交換フォール・バック（ＣＳＦＢ： circuit switched fall back）のために有用でありうる。しかしながら、ＳＩＢメッセージを読み取らないことは、特定の状況下において、リダイレクションの失敗またはその他の問題の原因となりうる。したがって、ＳＩＢメッセージを選択的に読み取ることが有益でありうる。
【００４０】
[0048]  ＳＩＢメッセージ１９は、複数のＵＥ ２０６および６５０などのＵＥに周辺地域におけるＥＵＴＲＡＮ近隣周波数（neighbor frequencies）およびそれらの再選択の優先度（their reselection priorities）についての情報を提供する。現在、ＵＥがＳＩＢメッセージ１９を読み取る場合、ＵＥはＥＵＴＲＡＮ＿ＦＲＥＱＵＥＮＣＹ＿ＩＮＦＯ＿ＬＩＳＴなどのローカル変数（local variable）においてＳＩＢメッセージ１９のＥＵＴＲＡＮ周波数を記憶しうる。ＵＥは、ＵＥによってサポートされるＥＵＴＲＡＮ周波数とこれらの周波数との間に重複がないかチェックする。重複が存在する場合、ＵＥは、ネットワークがＵＥをリダイレクトしてＥＵＴＲＡＮへ戻す（redirect the UE back to the EUTRAN）ことができると認識するように、次回ＵＥが無線リソース制御（ＲＲＣ）接続を要求するときに、ネットワークへ重複指示（overlap indication）を送る。重複が存在しない場合、ＵＥは、重複指示を送らず、ネットワークは、ＵＥがその地域においてどの利用可能なＥＵＴＲＡＮ周波数もサポートしないことを認識する。したがって、ネットワークがＵＥから重複指示を受信しない場合、ネットワークはＵＥをＵＴＲＡＮ上に保ちうる（keep）。
【００４１】
[0049]  ＵＥがＳＩＢメッセージ１９を読み取らない場合、ローカル変数ＥＵＴＲＡ＿ＦＲＥＱＵＥＮＣＹ＿ＩＮＦＯ＿ＬＩＳＴは空（empty）である（つまり、ローカル変数にＥＵＴＲＡＮ周波数が記憶されていない）。現在、ローカル変数が空である場合、ＵＥは次回のＲＲＣ接続要求時に重複指示を設定する。ＵＥにサポートされるＥＵＴＲＡＮ周波数と利用可能なＥＵＴＲＡＮ周波数との間に重複がまったくなく、重複指示が未だ設定されている場合、ＵＥのＥＵＴＲＡＮへのリダイレクションは、失敗し、ドロップされた呼（dropped calls）の原因となりうる。
【００４２】
[0050]  ＲＲＣ接続要求が生じるシナリオは少なくとも２つある。第１のシナリオでは（リダイレクション・シナリオとも呼ばれる）、ＵＥは、例えばＥＵＴＲＡＮ（つまりＬＴＥ）からＵＴＲＡＮへなど、ある無線アクセス技術（ＲＡＴ）から別のＲＡＴへとリダイレクトされる。リダイレクトされたＵＥは、接続を確立するために、そのもう１つのＲＡＴ（例えば、ＵＴＲＡＮ）にしたがって、基地局へ接続要求を送る。ＵＴＲＡＮおよびＥＵＴＲＡＮの例が本明細書に使用されているが、本明細書において説明されるシステムおよび方法は、説明された特定のＲＡＴに限定されないことが理解されるであろう。
【００４３】
[0051]  第２のシナリオでは（通常（normal）接続要求シナリオとも呼ばれる）、ＵＥは、ＵＴＲＡＮなどのＲＡＴにとどまり（is camped on a RAT）、ＵＴＲＡＮへの接続のために「通常の」接続要求を送る。
【００４４】
[0052]  ＵＥは、それの状態、つまりそれが第１のシナリオであるのか第２のシナリオであるのか自覚している（aware）。ＵＥは、ＵＥがリダイレクションにあるか（in re-direction）、つまり、リダイレクション要求がネットワークから到着したかを示唆するフラグを保持（maintains）する。
【００４５】
[0053]  本開示の一態様では、ＵＥ（例えば、ＵＥ ２０６、ＵＥ ６５０）は、どちらのシナリオがＵＥに適用可能かを判定することに基づいて、選択的にＳＩＢを読み取る。１つの特定の例では、ＵＥは無線アクセス技術（例えば、ＵＴＲＡＮ）に従って基地局へ接続要求を送る。ＵＥは、リダイレクション・シナリオまたは通常のシナリオのどちらのシナリオが適用されるか判定する。上述したように、判定は、上記で説明されたリダイレクション・フラグの設定に基づいて行われうる。フラグが設定されている場合、リダイレクション・シナリオが適用される。フラグが設定されていない場合、通常のシナリオが適用される。少なくとも部分的に、適用可能なシナリオに基づいて、ＵＥは、ＳＩＢを読み取るか否かを判定する。例えば、接続要求がリダイレクションと同時に生じた場合（つまり、リダイレクトされたＵＥがＵＴＲＡＮ上で接続を要求している）、ＵＥはＳＩＢを読み取ることをスキップする。ＳＩＢを読み取ることをスキップすることは、重複インジケータが接続要求に含まれないことがありえるため、安全である。リダイレクトされたシナリオは、回路交換フォール・バック（ＣＳＦＢ： circuit switched fall back）シナリオを含む。特に、ＣＳＦＢ呼について、ＳＩＢメッセージは、より速い呼セットアップ時間（quicker call setup time）を可能にするように読み取られない。
【００４６】
[0054]  ＵＥが、要求されたＲＲＣ接続が通常のＲＲＣ接続要求の結果として生じると判定する場合（つまり、ＵＥがＵＴＲＡＮ上でとどまり、接続を要求する）、ＵＥはＳＩＢメッセージを読み取る。通常のＲＲＣ接続要求の場合にＳＩＢメッセージを読み取ることにより、変数であるＥＵＴＲＡ＿ＦＲＥＱＵＥＮＣＹ＿ＩＮＦＯ＿ＬＩＳＴは訂正され（will be correct）、サポートされて利用可能なＥＵＴＲＡＮ周波数における不一致のためリダイレクションが失敗することが避けられる。上記の例がＳＩＢ １９およびその内容を具体的に参照するのに対し、複数のＳＩＢ １１、１２、またはその他のＳＩＢは、選択的に読み取られうる、または同様の方法でスキップされうることが理解されるであろう。
【００４７】
[0055]  本開示の一態様では、ＵＥは第１の無線アクセス技術（ＲＡＴ）に従って基地局へ無線リソース制御（ＲＲＣ）接続要求を送る。１つの例では、第１のＲＡＴはＵＴＲＡＮである。この要求は、ＵＥ送信機６５４ ＴＸによって送られうる。ＵＥは、少なくとも部分的に、接続要求が第２のＲＡＴから第１のＲＡＴへのＵＥのリダイレクションと同時に（in conjunction with）作られたか、または接続要求が第１のＲＡＴへの通常の接続要求であるかに基づいて、ＳＩＢ １９などのＳＩＢを読み取るかを判定する。この判定は、例えば、コントローラ／プロセッサ６５９によってなされうる。この判定は、上記で説明されたようなＵＥにおいて記憶されるリダイレクション・フラグの値を判定することによってなされうる。
【００４８】
[0056]  図７は、システム情報ブロック・メッセージを読み取るための方法７００を例示する。この方法は、ＵＥ ２０６や６５０などの１つのＵＥによって実行されうる。ブロック７０２において、ＵＥは、ＵＥが第２の無線アクセス技術（ＲＡＴ）から第１のＲＡＴへリダイレクトされたかを判定する。この判定は、例えば、コントローラ／プロセッサ６５９によってなされうる。１つの例では、第１のＲＡＴはＵＴＲＡＮである。ブロック７０４において、ＵＥは、少なくとも部分的に、ＵＥが第２のＲＡＴから第１のＲＡＴへリダイレクトされたかに基づいて、ＳＩＢ １９などのシステム情報ブロック（ＳＩＢ）を選択的に読み取る。
【００４９】
[0057]  １つの構成では、ＵＥ ６５０は、判定するための手段を含むワイヤレス通信のために構成される。一態様では、判定する手段は、判定する手段によって列挙された（recited）機能を実行するように構成されたコントローラ／プロセッサ６５９および／またはメモリ６６０でありうる。ＵＥ ６５０はまた、選択的に読み取るための手段を含むように構成される。一態様では、選択的に読み取る手段は、この選択的に読み取る手段によって列挙された機能を実行するように構成された、コントローラ／プロセッサ６５９、メモリ６６０、送信プロセッサ６６８、送信機６５４、および／またはアンテナ６５２でありうる。別の態様では、上述された手段は、上述された手段によって列挙された機能を実行するように構成された任意のモジュールあるいは任意の装置でありうる。
【００５０】
[0058]  図８は、処理システム８１４を用いる装置１０２のためのハードウェアのインプリメンテーションの例を例示する図である。処理システム８１４は、バス８２０によって一般的に表されるバス・アーキテクチャでインプリメントされうる。バス８２０は、処理システム８１４の特定のアプリケーションと全体的な設計制約に依存して、任意の数の相互接続バスおよびブリッジを含みうる。バス８２０は、プロセッサ８０４、モジュール８３０、８３２およびコンピュータ読取り可能な媒体８０６によって表された１つまたは複数のプロセッサおよび／またはハードウェア・モジュールを含む、様々な回路を共にリンクさせる。バス８２０はまた、タイミング・ソース、周辺機器、電圧レギュレータ、および電力管理回路といった様々な他の回路をリンクさせうるが、これらは、当該技術でよく知られているので、これ以上説明しない。
【００５１】
[0059]  この装置は、トランシーバ８１０と結合された処理システム８１４を含む。トランシーバ８１０は、１つまたは複数のアンテナ８２２に結合される。トランシーバ８１０は、送信媒体を通して他の様々な装置と通信するための手段を提供する。処理システム８１４は、コンピュータ読取り可能な媒体８０６に結合されたプロセッサ８０４を含む。プロセッサ８０４は、コンピュータ読取り可能な媒体８０６上に記憶されたソフトウェアの実行を含む汎用処理を担当する。このソフトウェアは、プロセッサ８０４によって実行されると、処理システム８１４に、任意の特定の装置に関して上記に説明される様々な機能を実行させる。コンピュータ読取り可能な媒体８０６はまた、ソフトウェアを実行する際にプロセッサ８０４によって操作されるデータを記憶するために使用されうる。
【００５２】
[0060]  処理システムは、判定モジュール８３０と選択的読取りモジュール８３２をさら含む。このモジュールは、プロセッサ８０４において実行し（running）、コンピュータ読取り可能な媒体８０６に存在／記憶されたソフトウェア・モジュール、プロセッサ８０４に結合された１つまたは複数のハードウェア・モジュール、またはそれらのある組合せでありうる。処理システム８１４は、ＵＥ ６５０のコンポーネントでありえ、メモリ６６０および／またはＴＸプロセッサ６６８、ＲＸプロセッサ６５６、およびコントローラ／プロセッサ６５９のうちの少なくとも１つを含みうる。
【００５３】
[0061]  １つの構成では、ワイヤレス通信のための装置１０２は、判定するための手段と、選択するための手段を含む。前述の手段は、前述の手段によって列挙された機能を実行するように構成された装置１０２の処理システム８１４および／または装置１００の前述した１つまたは複数のモジュールでありうる。上記で説明したように、処理システム８１４は、ＲＸプロセッサ６５６、ＴＸプロセッサ６６８、トランシーバ６５４、アンテナ６５２、メモリ６６０および／またはコントローラ／プロセッサ６５９を含みる。このように、１つの構成において前述された手段は、前述された手段によって列挙された機能を実行するように構成されたアンテナ６５２、受信機６５４、ＲＸプロセッサ６５６、コントローラ／プロセッサ６５９、および／またはメモリ６６０でありうる。
【００５４】
[0062]  当業者はさらに、ここでの開示に関連して説明された様々な例示的な論理ブロック、モジュール、回路、およびアルゴリズムのステップが、電子ハードウェア、コンピュータ・ソフトウェア、または両者の組み合わせとしてインプリメントされうることを理解するだろう。ハードウェアとソフトウェアとのこの互換性を明確に説明するために、様々な例示的なコンポーネント、ブロック、モジュール、回路、およびステップが、それらの機能の観点で一般的に上述されている。このような機能性が、ハードウェアまたはソフトウェアとしてインプリメントされるかは、システム全体に課せられている設計制約、および特定のアプリケーションに依存する。当業者は、各々の特定のアプリケーションに関して、多様な方法で説明された機能性をインプリメントすることができるが、このようなインプリメンテーションの判定は、本開示の範囲からの逸脱を引き起こしていると解釈すべきでない。
【００５５】
[0063]  ここでの開示に関連して説明された、様々な例示的な論理ブロック、モジュール、および回路は、汎用プロセッサ、デジタル・シグナル・プロセッサ（ＤＳＰ）、特定用途向け集積回路（ＡＳＩＣ）、フィールド・プログラマブル・ゲート・アレイ（ＦＰＧＡ）、または他のプログラマブル論理デバイス、離散ゲートまたはトランジスタ論理、離散ハードウェア・コンポーネント、またはここで説明された機能を実行するように設計されたそれらの任意の組み合わせでインプリメントまたは実行されうる。汎用プロセッサは、マイクロプロセッサでありうるが、その代わりに、プロセッサは、任意の従来のプロセッサ、コントローラ、マイクロコントローラ、またはステート・マシンでありうる。プロセッサはまた、コンピューティング・デバイスの組み合わせとして、例えば、ＤＳＰとマイクロプロセッサの組み合わせ、複数のマイクロプロセッサ、ＤＳＰコアに関連した（in conjunction with）１つまたは複数のマイクロプロセッサ、あるいは、このような構成のその他任意のものとしてインプリメントされうる。
【００５６】
[0064]  ここでの開示に関連して説明されたアルゴリズムまたは方法のステップは、直接的に、ハードウェアで、プロセッサによって実行されるソフトウェア・モジュールで、または両者の組み合わせで、具現化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、または当該技術で周知の任意の他の形態の記憶媒体に存在しうる。プロセッサが記憶媒体から情報を読み取ったり、記憶媒体に情報を書き込んだりできるように、典型的な記憶媒体はプロセッサに結合されている。代替において、記憶媒体は、プロセッサと一体化されうる。プロセッサおよび記憶媒体は、ＡＳＩＣ内に存在しうる。ＡＳＩＣは、ユーザ端末内に存在しうる。代替において、プロセッサおよび記憶媒体は、ユーザ端末中に離散コンポーネントとして存在しうる。
【００５７】
[0065]  １つまたは複数の典型的な設計において、説明された機能は、ハードウェア、ソフトウェア、ファームウェア、またはそれらの任意の組み合わせでインプリメントされうる。ソフトウェアでインプリメントされる場合、これらの機能は、コンピュータ読取り可能な媒体上で、１つまたは複数の命令またはコードとして送信または記憶されうる。コンピュータ読取り可能な媒体は、ある場所から別の場所へのコンピュータ・プログラムの転送を容易にする任意の媒体を含む通信媒体とコンピュータ記憶媒体との両方を含む。記憶媒体は、汎用コンピュータまたは特殊目的コンピュータによってアクセスできる任意の利用可能な媒体でありうる。限定ではなく例として、このようなコンピュータ読取り可能な媒体は、ＲＡＭ、ＲＯＭ、ＥＥＰＲＯＭ、ＣＤ−ＲＯＭ、または他の光ディスク記憶デバイス、磁気ディスク記憶デバイス、または他の磁気記憶デバイス、あるいは命令またはデータ構成の形態で所望のプログラム・コード手段を搬送または記憶するために使用でき、汎用または特殊目的コンピュータあるいは汎用または特殊目的プロセッサによってアクセスできる任意の他の媒体を備えうる。また、任意の接続は、コンピュータ読取り可能な媒体と適切に称される。例えば、ソフトウェアが、ウェブサイト、サーバ、または同軸ケーブル、光ファイバーケーブル、ツイスト・ペア、デジタル加入者線（ＤＳＬ）、または赤外線、無線、マイクロ波のようなワイヤレス技術を使用して他の遠隔ソースから送信された場合、同軸ケーブル、光ファイバーケーブル、ツイスト・ペア、ＤＳＬ、または赤外線、無線、およびマイクロ波のようなワイヤレス技術は、媒体の定義に含まれる。ここで使用されるようなディスク（ｄｉｓｋおよびｄｉｓｃ）は、コンパクトディスク（ＣＤ）、レーザディスク、光ディスク、デジタル汎用ディスク（ＤＶＤ）、フロッピー（登録商標）ディスク、およびブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。上記の組み合わせもまた、コンピュータ読取り可能な媒体の範囲内に含まれるべきである。
【００５８】
[0066]  本開示の先の説明は、いずれの当業者でも本開示を作り出し、使用することを可能にさせるために提供される。本開示に対する様々な変更は、当業者に容易に理解され、ここで定義された一般的な原理は、本開示の精神または範囲から逸脱せずに、他の変形例に適用されうる。したがって、本開示は、本明細書において説明される実例および設計に限定されるように意図されたものではなく、本明細書において開示された原理および新規の特徴と矛盾しない最大範囲であると認められるべきである。
なお、本願の出願当初の請求項と同一の記載を以下に付記する。
［Ｃ１］ ＵＥが、第２の無線アクセス技術（ＲＡＴ）から第１のＲＡＴへリダイレクトされたかを判定することと、
少なくとも部分的に、前記ＵＥが前記第２のＲＡＴから前記第１のＲＡＴへリダイレクトされたかに基づいて、システム情報ブロック（ＳＩＢ）を選択的に読み取ることと
を備える、ワイヤレス通信の方法。
［Ｃ２］ 前記選択的に読み取ることが、前記ＵＥが前記第２のＲＡＴから前記第１のＲＡＴへリダイレクトされたと判定したあと、前記ＳＩＢを読み取ることをスキップすることを備える、Ｃ１に記載の方法。
［Ｃ３］ 前記判定することが、前記ＵＥが回路交換フォール・バック（ＣＳＦＢ）呼のために前記第１のＲＡＴへリダイレクトされたと判定することをさらに備える、Ｃ２に記載の方法。
［Ｃ４］ 前記選択的に読み取ることが、前記ＵＥが前記第１のＲＡＴに通常接続を要求したと判定したあと、前記ＳＩＢを読み取ることを備える、Ｃ１に記載の方法。
［Ｃ５］ 前記第１のＲＡＴがＵＴＲＡＮを備え、前記第２のＲＡＴがＥＵＴＲＡＮを備える、Ｃ１に記載の方法。
［Ｃ６］ 前記ＳＩＢがＳＩＢ １９を備える、Ｃ１に記載の方法。
［Ｃ７］ メモリと、
前記メモリに結合された少なくとも１つのプロセッサと、
を備え、
前記少なくとも１つのプロセッサは、
ＵＥが第２の無線アクセス技術（ＲＡＴ）から第１のＲＡＴへリダイレクトされたかを判定することと、
少なくとも部分的に、前記ＵＥが前記第２のＲＡＴから前記第１のＲＡＴへリダイレクトされたかに基づいて、システム情報ブロック（ＳＩＢ）を選択的に読み取ることと
を行うように構成される、
ワイヤレス通信のための装置。
［Ｃ８］ 選択的に読み取るように構成された前記少なくとも１つのプロセッサは、前記ＵＥが前記第２のＲＡＴから前記第１のＲＡＴへリダイレクトされたと判定したあと、前記ＳＩＢを読み取ることをスキップするようにさらに構成される、Ｃ７に記載の装置。
［Ｃ９］ 前記ＵＥが回路交換フォール・バック（ＣＳＦＢ）呼のために前記第１のＲＡＴへリダイレクトされた、Ｃ８に記載の装置。
［Ｃ１０］ 選択的に読み取るように構成された前記少なくとも１つのプロセッサは、前記ＵＥが前記第１のＲＡＴへ通常接続を要求したと判定したあと、前記ＳＩＢを読み取るようにさらに構成される、Ｃ７に記載の装置。
［Ｃ１１］ 前記第１のＲＡＴがＵＴＲＡＮを備え、前記第２のＲＡＴがＥＵＴＲＡＮを備える、Ｃ７に記載の装置。
［Ｃ１２］ 前記ＳＩＢがＳＩＢ １９を備える、Ｃ７に記載の装置。
［Ｃ１３］ ワイヤレス・ネットワークにおけるワイヤレス通信のためのコンピュータ・プログラム製品であって、
その上に記録された非一時的なプログラム・コードを有する非一時的なコンピュータ読取り可能な媒体を備え、前記プログラム・コードは、
ＵＥが第２の無線アクセス技術（ＲＡＴ）から第１のＲＡＴへリダイレクトされたかを判定するプログラム・コードと、
少なくとも部分的に、前記ＵＥが前記第２のＲＡＴから前記第１のＲＡＴへリダイレクトされたかに基づいて、システム情報ブロック（ＳＩＢ）を選択的に読み取るプログラム・コードと
を備える、コンピュータ・プログラム製品。
［Ｃ１４］ 選択的に読み取る前記プログラム・コードが、前記ＵＥが前記第２のＲＡＴから前記第１のＲＡＴへリダイレクトされたと判定したあと、前記ＳＩＢを読み取ることをスキップするように構成される、Ｃ１３に記載のコンピュータ・プログラム製品。
［Ｃ１５］ 選択的に読み取る前記プログラム・コードが、前記ＵＥが前記第１のＲＡＴへ通常接続を要求したと判定したあと、前記ＳＩＢを読み取るように構成される、Ｃ１３に記載のコンピュータ・プログラム製品。
［Ｃ１６］ 前記第１のＲＡＴがＵＴＲＡＮを備え、前記第２のＲＡＴがＥＵＴＲＡＮを備える、Ｃ１３に記載のコンピュータ・プログラム製品。
［Ｃ１７］ ワイヤレス通信のための装置であって、
ＵＥが第２の無線アクセス技術（ＲＡＴ）から第１のＲＡＴへリダイレクトされたかを判定するための手段と、
少なくとも部分的に、前記ＵＥが前記第２のＲＡＴから前記第１のＲＡＴへリダイレクトされたかに基づいてシステム情報ブロック（ＳＩＢ）を選択的に読み取るための手段と
を備える、装置。
［Ｃ１８］ 選択的に読み取るための前記手段が、前記ＵＥが前記第２のＲＡＴから前記第１のＲＡＴへリダイレクトされたと判定したあと、前記ＳＩＢを読み取ることをスキップするための手段をさらに備える、Ｃ１７に記載の装置。
［Ｃ１９］ 選択的に読み取るための前記手段は、前記ＵＥが前記第１のＲＡＴへ通常接続を要求したと判定したあと、前記ＳＩＢを読み取るための手段をさらに備える、Ｃ１７に記載の装置。
［Ｃ２０］ 前記第１のＲＡＴがＵＴＲＡＮを備え、前記第２のＲＡＴがＥＵＴＲＡＮを備える、Ｃ１７に記載の装置。
【図１】
0005823633.tif 000002
【図２】
0005823633.tif 000003
【図３】
0005823633.tif 000004
【図４】
0005823633.tif 000005
【図５】
0005823633.tif 000006
【図６】
0005823633.tif 000007
【図７】
0005823633.tif 000008
【図８】
0005823633.tif 000009